(57)【特許請求の範囲】
【請求項１】
筐体の前面部に回動自在に支持され閉塞位置と開放位置との間で回動されるフロントパネルと、
フロントパネルを閉塞位置にロックするロック機構と、
該ロック機構によるロックが解除されたときにフロントパネルに作用して該フロントパネルを開放位置へ向けて回動させる開放レバーとを備え、
開放レバーのフロントパネルに対する作用が終了する作用終了位置を調整する調整手段を設けた
ことを特徴とする電子機器。
【請求項２】
上記調整手段が筐体の前面部に設けられた
ことを特徴とする請求項１に記載の電子機器。
【請求項３】
上記調整手段としてネジ部材を用いた
ことを特徴とする請求項１に記載の電子機器。
【請求項４】
上記ネジ部材が筐体の前面部に捩じ込まれる
ことを特徴とする請求項３に記載の電子機器。
【請求項５】
上記調整手段の筐体に対する位置（以下、本項において「調整位置」という。）に応じて開放レバーの作用終了位置が決定され、
調整位置に調整手段を保持する保持手段を設けた
ことを特徴とする請求項１に記載の電子機器。
【請求項６】
上記調整手段の筐体に対する位置（以下、本項において「調整位置」という。）に応じて開放レバーの作用終了位置が決定され、
調整位置に調整手段を保持する保持手段を設けた
ことを特徴とする請求項２に記載の電子機器。
【請求項７】
上記ネジ部材の筐体に対する位置（以下、本項において「調整位置」という。）に応じて開放レバーの作用終了位置が決定され、
調整位置にネジ部材を保持する保持手段を設けた
ことを特徴とする請求項３に記載の電子機器。
【請求項８】
上記ネジ部材の筐体に対する位置（以下、本項において「調整位置」という。）に応じて開放レバーの作用終了位置が決定され、
調整位置にネジ部材を保持する保持手段を設けた
ことを特徴とする請求項４に記載の電子機器。
【請求項９】
上記保持手段として筐体と調整手段との間に介在されるバネ部材を用いた
ことを特徴とする請求項５に記載の電子機器。
【請求項１０】
上記保持手段として筐体と調整手段との間に介在されるバネ部材を用いた
ことを特徴とする請求項６に記載の電子機器。
【請求項１１】
上記保持手段として筐体とネジ部材との間に介在されるバネ部材を用いた
ことを特徴とする請求項７に記載の電子機器。
【請求項１２】
上記保持手段として筐体とネジ部材との間に介在されるバネ部材を用いた
ことを特徴とする請求項８に記載の電子機器。
【発明の詳細な説明】
【０００１】
【発明の属する技術分野】
本発明は電子機器に関する。詳しくは、配置された姿勢に拘らずフロントパネルの適正な開放動作を確保する技術に関する。
【０００２】
【従来の技術】
電子機器、例えば、車載用のディスク再生装置には、筐体の前面部にディスクの挿入口が形成されると共にフロントパネルが回動自在に設けられ、フロントパネルが開放位置まで回動されてディスク挿入口が開放され、また、フロントパネルが閉塞位置まで回動されてディスク挿入口が閉塞されるようになっているものがある。
【０００３】
このようなディスク再生装置にあっては、例えば、フロントパネルがその下端部を支点として回動可能とされており、フロントパネルに設けられた開放スイッチが操作されると、閉塞位置においてロック機構によってロックされていたフロントパネルに対するロックが解除されると共にフロントパネルが開放レバーによって押圧されて該フロントパネルが開放位置から閉塞位置まで回動されるものがある。
【０００４】
【発明が解決しようとする課題】
ところで、特に、車載用のディスク再生装置においては、必ずしも車輌室内に水平な状態で取り付けられるとは限らず、操作性の向上等の観点からフロントパネルが運転者に向くように所定の角度を以って取り付けられることも多い。
【０００５】
例えば、図２２に示すように、ディスク再生装置ａは車輌室内の被取付部ｂにフロントパネルｃが筐体ｄの後端よりも上方に位置するように傾斜した状態で取り付けられる。
【０００６】
このようにディスク再生装置ａが傾斜した状態で取り付けられた場合には、開放レバーｅに付与されるフロントパネルｃの自重による負荷が大きく（図２２に力Ｆで示す。）、フロントパネルｃを確実に開放位置まで回動させるためには、開放レバーｅにフロントパネルｃへの押圧力を付与するための付勢バネｆの力量を大きくしなければならない。
【０００７】
ところが、付勢バネｆの力量を大きくしてしまうと、ディスク再生装置ａを水平な状態で取り付けようとしたときに、付勢バネｆの大きな力量によって、回動されたフロントパネルｃが開放位置においてバウンドしてしまい、ディスク再生装置ａの品位が損なわれたり、或は、フロントパネルｃや筐体ｄに振動が生じ故障の原因となってしまう虞もある。
【０００８】
逆に、上記のような所謂バウンド現象を回避するために付勢バネｆを力量の弱いものにしてしまうと、図２２のようにディスク再生装置ａを傾斜した状態で取り付けたときに、フロントパネルｃの自重によって開放レバーｅに付与される力が大きく、フロントパネルｃが開放位置まで回動されなくなってしまうという不具合を生じ得る。
【０００９】
一方、上記したディスク再生装置ａにあっては、フロントパネルｃの回動速度を制限して閉塞位置においてバウンド現象を生じないようにするためにシリコン材料を用いたオイルダンパーを用いることがあるが、シリコン材料は温度によって性質（硬度等）が変化し易いため、特に、車輌用のディスク再生装置のように使用温度範囲が広い場合には、使用温度によってオイルダンパーの機能が変化してフロントパネルｃの回動動作に支障を来たすことがある。
【００１０】
そこで、本発明電子機器は、上記した問題点を克服し、配置された姿勢に拘らずフロントパネルの適正な開放動作を確保することを課題とする。
【００１１】
【課題を解決するための手段】
本発明電子機器は、上記した課題を解決するために、筐体の前面部に回動自在に支持され閉塞位置と開放位置との間で回動されるフロントパネルと、フロントパネルを閉塞位置にロックするロック機構と、該ロック機構によるロックが解除されたときにフロントパネルに作用して該フロントパネルを開放位置へ向けて回動させる開放レバーとを設け、開放レバーのフロントパネルに対する作用が終了する作用終了位置を調整する調整手段を設けたものである。
【００１２】
従って、本発明電子機器にあっては、作用終了位置が自由に設定可能となる。
【００１３】
【発明の実施の形態】
以下に、本発明電子機器の実施の形態を添付図面を参照して説明する。
【００１４】
尚、以下に示した実施の形態は、本発明を車載用のオーディオ機器に適用したものであり、このオーディオ機器は直径が略１２０ｍｍのコンパクトディスク（ＣＤ）に対する信号の再生を行うことのできるディスク再生装置である。
【００１５】
ディスク再生装置１００は、筐体１を構成する前方に開口された箱状を為す本体側筐体２と該本体側筐体２の前面開口を覆うように取り付けられたサブパネル３とを備え、本体側筐体２の内部には所定の駆動部が配置されている。そして、サブパネル３の前方にはフロントパネル４が回動可能に配置されている（図１及び図２参照）。
【００１６】
サブパネル３の右端部には上下に離間して配置孔３ａと挿通孔３ｂとが形成されている（図３参照）。そして、サブパネル３には、所定の位置に取付孔３ｃ、３ｃ、３ｃ、３ｄが形成され（図３に取付孔３ｃ、３ｃ、３ｄのみを示す。）、該取付孔３ｃ、３ｃ、３ｃ、３ｄは段付き形状に形成されている。また、取付孔３ｄはサブパネル３の右端部で上下方向における略中央部に形成されている。さらに、サブパネル３には図示しないディスク挿入口が形成され、サブパネル３の左端部には支持ピンを有する図示しない支持部材が取り付けられると共に図示しないオイルダンパーギヤが支持されている。
【００１７】
フロントパネル４の前面にはＣＤの再生等を行うための各種の操作スイッチ４ａ、４ａ、・・・と動作状態等を示すための液晶表示部４ｂとが設けられている（図１参照）。尚、ディスク再生装置１００はラジオ付きの装置であり、所定の操作スイッチ４ａ、４ａ、・・・を操作することによりラジオの駆動が為される。
【００１８】
フロントパネル４の右端部の上端には前方から押圧操作が行われる開放釦５が設けられており、該開放釦５は被押圧部５ａと該被押圧部５ａの後面から後方へ突出された押圧軸５ｂとが一体に形成されて成る（図２参照）。開放釦５は押圧軸５ｂがフロントパネル４の右端部の上端部に形成された支持孔４ｃに摺動自在に支持され、図示しないバネによって前方へ付勢されている。そして、開放釦５は、被押圧部５ａへの押圧操作が為されていない状態において、押圧軸５ｂの後端が支持孔４ｃの後端に一致されるようになっている（図２参照）。
【００１９】
フロントパネル４の後端部には、支持孔４ｃに対応する部分に係合凹部４ｄが形成されている（図２参照）。また、フロントパネル４の左端部後面にはサブパネル３に支持された上記オイルダンパーギヤと噛合される図示しないギヤ部が形成されている。
【００２０】
サブパネル３の右端部後面には取付部材６が取り付けられる（図４乃至図８、図１５参照）。
【００２１】
取付部材６は後面部７と該後面部の左右両側縁から前方へ突設された左側面部８、右側面部９と左側面部８の前縁から左方へ突設された突出部１０と右側面部９の前縁から前方へ突設された支持突部１１とが一体に形成されて成る（図４乃至図８参照）。
【００２２】
後面部７には、左半部の下端部に第１の挿通孔７ａが形成され、右半部の上下方向における略中央部に第２の挿通孔７ｂが形成されている。そして、後面部７の上端部にはバネ掛け片７ｃ、７ｄが形成され、該バネ掛け片７ｃ、７ｄは左右に離間して後方へ突出されている。また、第２の挿通孔７ｂの上側開口縁には後面部７の一部が前方へ折曲形成されることにより規制片７ｅが形成されている。
【００２３】
左側面部８には上下に離間して支持孔８ａ、８ｂが形成されている。そして、左側面部８の前縁部には、上下に離間して左方へ突出した被取付片８ｃ、８ｃが形成され、該被取付片８ｃ、８ｃには螺孔８ｄ、８ｄが形成されている。また、左側面部８の前縁の上下方向における中央部からは、左方へ長く延びる突出部１０が突出され、該突出部１０の先端部には螺孔１０ａが形成されている。さらに、左側面部８の前縁には、下側の被取付部８ｃの直ぐ上側に右方へ突出したネジ止め片８ｅが形成され、該ネジ止め片８ｅには調整用螺孔８ｆが形成されている。
【００２４】
右側面部９の下端部からは前方へ支持突部１１が突出され、該支持突部１１の先端部には左方へ突出した支持ピン１１ａが形成されている。また、右側面部９には上下に離間して支持孔９ａ、９ｂが形成されている。
【００２５】
開放レバー１２は、左右方向に延びる軸受部１３と該軸受部１３からその軸方向と垂直の互いに異なる方向へ突出された第１の部分１４、第２の部分１５と軸受部１３に連続して形成された被規制部１６とが一体に形成されて成る（図９及び図１０参照）。
【００２６】
第１の部分１４は軸受部１３の右端部から突出され、先端部に略前方へ突出された押圧突部１４ａが形成されている。そして、第１の部分１４の上下方向における中間部には略後方に開口した切欠凹部１４ｂが形成されている。また、第１の部分１４の先端部には左方へ突出した係合軸１４ｃが形成されている。
【００２７】
第２の部分１５は軸受部１３の左端部から突出され、先端部にバネ掛け凹部１５ａが形成されている。
【００２８】
被規制部１６は軸受部１３の左半部の上側に連続して形成され、右端が第１の部分１４の下端部に連続されている。
【００２９】
ロックレバー１７は、フロントパネル４をサブパネル３に形成されたディスク挿入口を閉塞する閉塞位置にロックするロック機構として機能し、左右方向に延びる軸受部１８と該軸受部１８からその軸方向と垂直の互いに異なる方向へ突出された第１の部分１９、第２の部分２０とが一体に形成されて成る（図１１及び図１２参照）。
【００３０】
第１の部分１９は側方から見て鉤状を為し、軸受部１８の左端部から突出されている。第１の部分１９の先端部には、略下方へ突出された係合突部１９ａが形成され、該係合突部１９ａの後方に下方へ開口された係合凹部１９ｂが形成されている。そして、第１の部分１９の前面は下方へ行くに従って後方へ変位する緩やかな傾斜面に形成されている。
【００３１】
第２の部分２０は軸受部１８の右端部から突出され、先端部にバネ掛け凹部２０ａが形成されている。
【００３２】
開放レバー１２及びロックレバー１７は取付部材６に回動自在に支持される（図１３乃至図１５参照）。
【００３３】
開放レバー１２は軸受部１３に挿入された軸２１を介して取付部材６の支持孔８ｂ、９ｂに回動自在に支持される。また、ロックレバー１７は軸受部１８に挿入された軸２２を介して取付部材６の支持孔８ａ、９ａに回動自在に支持される。そして、開放レバー１２とロックレバー１７が取付部材６に支持された状態において、ロックレバー１７の軸受部１８が開放レバー１２の切欠凹部１４ｂに対応して位置されている（図１５参照）。
【００３４】
このように開放レバー１２が取付部材６に支持された状態においては、開放レバー１２の第２の部分１５の先端部が取付部材６の第１の挿通孔７ａから後方へ突出され、第２の部分１５のバネ掛け凹部１５ａと取付部材６のバネ掛け片７ｃとの間に第１の引張コイルバネ２３が張設される（図１４参照）。また、ロックレバー１７が取付部材６に支持された状態において、ロックレバー１７の第２の部分２０の先端部が取付部材６の第２の挿通孔７ｂから後方へ突出され、第２の部分２０のバネ掛け凹部２０ａと取付部材６のバネ掛け片７ｄとの間に第２の引張コイルバネ２４が張設される（図１４参照）。従って、開放レバー１２及びロックレバー１７は、第１の引張コイルバネ２３及び第２の引張コイルバネ２４によって、それぞれ図１５に示すＲ１方向へ付勢される。
【００３５】
ロックレバー１７が第２の引張コイルバネ２４によってＲ１方向へ付勢されることにより、ロックレバー１７に外力が付与されない状態においては、第２の部分２０が取付部材６の規制片７ｅに弾接される（図１４及び図１５参照）。そして、開放レバー１２はＲ２方向の回動端において、係合軸１４ｃがロックレバー１７の係合凹部１９ｂに係合され、Ｒ１方向への移動が規制される（図１５参照）。従って、ロックレバー１７がＲ２方向へ回動され係合軸１４ｃと係合凹部１９ｂとの係合が解除されると、開放レバー１２が第１の引張コイルバネ２３の作用によってＲ１方向へ回動されることになる。
【００３６】
開放レバー１２及びロックレバー１７が支持された取付部材６は、サブパネル３の後面に取り付けられる（図１５参照）。
【００３７】
取付部材６のサブパネル３への取付は、サブパネル３の前面からそれぞれ取付孔３ｃ、３ｃ、３ｃに図示しない取付ネジが挿通され、取付部材６の被取付片８ｃ、８ｃ、突出部１０にそれぞれ形成された螺孔８ｄ、８ｄ、１０ａに当該取付ネジが捩じ込まれることにより為される。そして、場合によっては、サブパネル３の取付孔３ｄにネジ部材２５が挿入され、取付部材６の調整用螺孔８ｆに捩じ込まれる（図１６参照）。
【００３８】
取付部材６がサブパネル３へ取り付けられた状態においては、取付部材６の支持突部１１がサブパネル３の挿通孔３ｂから前方へ突出される。そして、取付部材６に支持されたロックレバー１７は第１の部分１９の係合突部１９ａがサブパネル３の配置孔３ａから前方へ突出され、ロックレバー１７に回動を規制されている開放レバー１２は押圧突部１４ａが配置孔３ａ内に位置される（図１５参照）。
【００３９】
フロントパネル４はその下端部が取付部材６の支持突部１１の支持ピン１１ａとサブパネル３の左端部に取り付けられた支持部材の支持ピンとによって支持され、これによりフロントパネル４がサブパネル３の前方において図１５に示すＲ１−Ｒ２方向へ回動可能に配置される。そして、このようにフロントパネル４がサブパネル３の前方に配置された状態において、サブパネル３の左端部に設けられたオイルダンパーギヤとフロントパネル４の左端部後面に形成されたギヤ部とが噛合される。
【００４０】
フロントパネル４がサブパネル３の前方に配置されＲ２方向における回動端、即ち、閉塞位置にある状態においては、フロントパネル４の係合凹部４ｄにロックレバー１７の係合突部１９ａが係合され、フロントパネル４が閉塞位置においてロックされている（図２参照）。そして、フロントパネル４が閉塞位置にロックされた状態においては、開放レバー１２がロックレバー１７によって回動を規制されており、開放レバー１２の押圧突部１４ａがフロントパネル４の上端部後面に当接又は近接した状態とされる（図２及び図１５参照）。
【００４１】
以下に、フロントパネル４の回動動作について説明する（図１６乃至図１９参照）。尚、図１６乃至図１９に示す動作は、ネジ部材２５が取付部材６の調整用螺孔８ｆに捩じ込まれた状態における動作であり、ディスク再生装置１００は水平な状態で配置され、即ち、サブパネル３が前方を向いた状態とされている。
【００４２】
閉塞位置においては、上記したように、フロントパネル４の係合凹部４ｄにロックレバー１７の係合突部１９ａが係合されフロントパネル４がロックされており、また、開放レバー１２がロックレバー１７によって回動を規制され押圧突部１４ａがフロントパネル４の上端部後面に当接又は近接した状態とされている（図１６参照）。
【００４３】
フロントパネル４が閉塞位置にある状態において、フロントパネル４に設けられた開放釦５が押圧操作されると、押圧軸５ｂによって係合突部１９ａの前面が押圧され、ロックレバー１７がＲ２方向へ回動される。ロックレバー１７がＲ２方向へ回動されると、係合凹部１９ｂと開放レバー１２の係合軸１４ｃとの係合が解除される（図１７参照）。
【００４４】
ロックレバー１７の係合凹部１９ｂと開放レバー１２の係合軸１４ｃとの係合が解除されることにより、開放レバー１２が第１の引張コイルバネ２３の作用によってＲ１方向へ回動されていく（図１８参照）。そして、開放レバー１２のＲ１方向への回動により、フロントパネル４が押圧突部１４ａによって押圧されてＲ１方向へ回動されていく。このとき、フロントパネル４はオイルダンパーギヤの作用によって回動する速度が制限され、比較的緩徐な速度でＲ１方向へ回動されることになる。尚、フロントパネル４がＲ１方向へ回動されると、開放釦５の押圧軸５ｂによるロックレバー１７への押圧が解除されるため、ロックレバー１７は第２の引張コイルバネ２４の作用によってＲ１方向へ回動され第２の部分２０が取付部材６の規制片７ｅに接する元の状態に戻る。
【００４５】
開放レバー１２がＲ１方向へ所定の位置まで回動されると、開放レバー１２の被規制部１６がネジ部材２５に接触され開放レバー１２の回動が停止される（図１８参照）。従って、ネジ部材２５は、開放レバー１２のフロントパネル４に対する押圧作用が終了する作用終了位置を調整する調整手段として機能する。開放レバー１２のＲ１方向への回動がネジ部材２５によって規制され、これ以後押圧突部１４ａによるフロントパネル４への押圧は為されない。
【００４６】
開放レバー１２の回動動作がネジ部材２５によって規制された状態においては、フロントパネル４はその自重によってＲ１方向へ回動可能な位置まで回動されているため、これ以後フロントパネル４はその自重によりＲ１方向へ回動されサブパネル３に形成されたディスク挿入口を開放する開放位置へ至る（図１９参照）。
【００４７】
尚、ディスク再生装置１００にあっては、ネジ部材２５の調整用螺孔８ｆへの捩じ込み量を変えてネジ部材２５の筐体１に対する位置、即ち、調整位置を変更することによりフロントパネル４への開放レバー１２の作用終了位置を自由に設定することができる。そして、この調整位置の変更はフロントパネル４を開放位置まで回動させた状態でドライバー等によって前方から行うことができるため、調整作業が非常に容易であり、また、ディスク再生装置１００を車輌の取付部に取り付けた状態で調整作業を行うことができるため、適正な作用終了位置の設定を行うことができる。
【００４８】
フロントパネル４の開放位置から閉塞位置への回動は、手動又は自動によりフロントパネル４をＲ２方向へ回動させることにより行う。
【００４９】
フロントパネル４が開放位置からＲ２方向へ回動されると該フロントパネル４によって開放レバー１２が押圧されてＲ２方向へ回動され、係合軸１４ｃがロックレバー１７の係合凹部１９ｂに係合され開放レバー１２がＲ１方向への回動を規制された状態に戻る（図１６参照）。そして、開放レバー１２が回動を規制された状態においては、ロックレバー１７の係合突部１９ａがフロントパネル４の係合凹部４ｄに係合され、フロントパネル４が再び閉塞位置にロックされる（図２及び図１６参照）。
【００５０】
以上に記載した通り、ディスク再生装置１００にあっては、調整手段として設けられたネジ部材２５によって開放レバー１２のフロントパネル４に対する押圧作用が終了する作用終了位置を自由に設定することができる。
【００５１】
従って、ディスク再生装置１００の配置された姿勢に応じて作用終了位置を設定することにより、回動されたフロントパネル４が開放位置においてバウンドするようなことがないためディスク再生装置１００の品位が損なわれない。
【００５２】
また、フロントパネル４の開放位置においてフロントパネル４や筐体１に振動が生じ難いためディスク再生装置１００の故障を防止することができる。
【００５３】
さらに、ディスク再生装置１００が配置された姿勢に拘らずフロントパネル４の適正な開放動作を確保することができる。
【００５４】
さらにまた、オイルダンパーを用いた場合に、通常用いられるシリコン材料が温度変化によって性質が変化されても、作用終了位置を調整することにより、フロントパネル４の適正な開放動作が確保される。
【００５５】
加えて、調整手段としてネジ部材２５を用いているため、簡易かつ安価に作用終了位置の調整をすることができる。
【００５６】
図２０は、ディスク再生装置１００が車輌の取付部２６にフロントパネル４が筐体１の後端より上方に位置するように傾斜して取り付けられたときに、ネジ部材２５を取り外した状態を示すものである。このように、ディスク再生装置１００が傾斜した状態においては、フロントパネル４の開放方向へ向けての回動の開始時に開放レバー１２にかかる負荷が大きいが、ネジ部材２５を取り外すことにより開放レバー１２の押圧突部１４ａがフロントパネル４を該フロントパネル４が開放位置に至るまで押圧させることが可能となるため、フロントパネル４が開放位置まで回動されなくなるようなことがない。
【００５７】
尚、ディスク再生装置１００の傾斜角度が小さい場合には、上記のようにネジ部材２５の調整位置を変更してフロントパネル４の適正な回動動作が為されるように調整をすればよい。
【００５８】
図２１は、ネジ部材２５を調整位置に保持するための保持手段を設けた場合を示すものである。
【００５９】
保持手段として圧縮コイルバネであるバネ部材２７が用いられ、該バネ部材２７はネジ部材２５の頭部と取付孔３ｄの開口縁との間で縮設されている。
【００６０】
このように、ネジ部材２５を調整位置に保持するための保持手段を設けることにより、ディスク再生装置１００の使用中にネジ部材２５が回転して調整位置が変化してしまうようことがなく、フロントパネル４への作用終了位置を常時一定の位置に保持することができる。
【００６１】
また、上記のように保持手段としてバネ部材７を用いれば、保持手段を設けることによりコストが増大することがない。
【００６２】
尚、上記には、調整手段としてネジ部材２５を用いているが、例えば、保持手段としてリベットや軸状の部材等の種々の手段を用いることができる。
【００６３】
上記した実施の形態において示した各部の具体的な形状及び構造は、何れも本発明の実施を行うに際しての具体化のほんの一例を示したものにすぎず、これらによって本発明の技術的範囲が限定的に解釈されることがあってはならないものである。
【００６４】
【発明の効果】
以上に記載したところから明らかなように、本発明電子機器は、筐体の前面部に回動自在に支持され閉塞位置と開放位置との間で回動されるフロントパネルと、フロントパネルを閉塞位置にロックするロック機構と、該ロック機構によるロックが解除されたときにフロントパネルに作用して該フロントパネルを開放位置へ向けて回動させる開放レバーとを備え、開放レバーのフロントパネルに対する作用が終了する作用終了位置を調整する調整手段を設けたことを特徴とする。
【００６５】
従って、電子機器の配置される姿勢に応じて作用終了位置を調整することにより、回動されたフロントパネルが開放位置においてバウンドするようなことがないため電子機器の品位が損なわれない。
【００６６】
また、フロントパネルの開放位置においてフロントパネルや筐体に振動が生じ難いため電子機器の故障を防止することができる。
【００６７】
さらに、電子機器が配置された姿勢に拘らずフロントパネルの適正な開放動作を確保することができる。
【００６８】
加えて、フロントパネルの回動時に回動に対して所定の付加を与えるオイルダンパーを用いた場合に、通常用いられるシリコン材料が温度変化によって性質が変化されても、作用終了位置を調整することにより、フロントパネルの適正な開放動作が確保される。
【００６９】
請求項２に記載した発明にあっては、上記調整手段を筐体の前面部に設けたので、調整作業を電子機器の前方から行うことができるため、調整作業が非常に容易である。
【００７０】
また、電子機器が配置された状態で調整作業を行うことができるため、適正な作用終了位置の設定を行うことができる。
【００７１】
請求項３に記載した発明にあっては、上記調整手段としてネジ部材を用いたので、簡易かつ安価に作用終了位置の調整を行うことができる。
【００７２】
請求項４に記載した発明にあっては、上記ネジ部材が筐体の前面部に捩じ込まれるようにしたので、調整作業を電子機器の前方から行うことができるため、調整作業が非常に容易である。
【００７３】
また、電子機器が配置された状態で調整作業を行うことができるため、適正な作用終了位置の設定を行うことができる。
【００７４】
請求項５及び請求項６に記載した発明にあっては、上記調整手段の筐体に対する位置（調整位置）に応じて開放レバーの作用終了位置が決定され、調整位置に調整手段を保持する保持手段を設けたので、電子機器の使用中に調整手段の調整位置が変化してしまうようことがなく、フロントパネルへの作用終了位置を常時一定の位置に保持することができる。
【００７５】
請求項７及び請求項８に記載した発明にあっては、上記ネジ部材の筐体に対する位置（調整位置）に応じて開放レバーの作用終了位置が決定され、調整位置にネジ部材を保持する保持手段を設けたので、電子機器の使用中にネジ部材が回転して調整位置が変化してしまうようことがなく、フロントパネルへの作用終了位置を常時一定の位置に保持することができる。
【００７６】
請求項９及び請求項１０に記載した発明にあっては、上記保持手段として筐体と調整手段との間に介在されるバネ部材を用いたので、保持手段を設けることによりコストが増大することがない。
【００７７】
請求項１１及び請求項１２に記載した発明にあっては、上記保持手段として筐体とネジ部材との間に介在されるバネ部材を用いたので、保持手段を設けることによりコストが増大することがない。
【図面の簡単な説明】
【図１】図２乃至図２１と共に本発明電子機器の実施の形態を示すものであり、本図は本発明を適用したディスク再生装置の正面図である。
【図２】ディスク再生装置の一部を断面にして示す概略側面図である。
【図３】サブパネルの一部を示す拡大正面図である。
【図４】取付部材の拡大正面図である。
【図５】取付部材の拡大左側面図である。
【図６】取付部材の拡大背面図である。
【図７】取付部材の拡大右側面図である。
【図８】取付部材の拡大平面図である。
【図９】開放レバーの拡大正面図である。
【図１０】開放レバーの拡大右側面図である。
【図１１】ロックレバーの拡大平面図である。
【図１２】ロックレバーの拡大右側面図である。
【図１３】取付部材に開放レバーとロックレバーが支持された状態を示す拡大正面図である。
【図１４】取付部材に開放レバーとロックレバーが支持された状態を示す拡大背面図である。
【図１５】サブパネルに、開放レバーとロックレバーが支持された取付部材が取り付けれた状態を示す概略拡大側面図である。
【図１６】図１７乃至図１９と共にフロントパネルの回動動作を示すものであり、本図はフロントパネルが閉塞位置にある状態を示す概略拡大側面図である。
【図１７】ロックレバーの開放レバーに対するロックが解除された状態を示す概略拡大側面図である。
【図１８】フロントパネルが開放レバーに押圧され回動されている状態を示す概略拡大側面図である。
【図１９】フロントパネルが開放位置まで回動された状態を示す概略拡大側面図である。
【図２０】ディスク再生装置が一定の傾斜を以って取り付けられた状態を示す概念図である。
【図２１】ネジ部材とサブパネルとの間にバネ部材が介在された状態を一部を断面にして示す要部の概略拡大側面図である。
【図２２】従来の問題点を示す概念図である。
【符号の説明】
１００…ディスク再生装置（電子機器）、１…筐体、３…サブパネル（前面部）、４…フロントパネル、１２…開放レバー、１７…ロックレバー（ロック機構）、２５…ネジ部材（調整手段）、２７…バネ部材（保持手段）
【図１】
0004106799.tif 000002
【図２】
0004106799.tif 000003
【図３】
0004106799.tif 000004
【図４】
0004106799.tif 000005
【図５】
0004106799.tif 000006
【図６】
0004106799.tif 000007
【図７】
0004106799.tif 000008
【図８】
0004106799.tif 000009
【図９】
0004106799.tif 000010
【図１０】
0004106799.tif 000011
【図１１】
0004106799.tif 000012
【図１２】
0004106799.tif 000013
【図１３】
0004106799.tif 000014
【図１４】
0004106799.tif 000015
【図１５】
0004106799.tif 000016
【図１６】
0004106799.tif 000017
【図１７】
0004106799.tif 000018
【図１８】
0004106799.tif 000019
【図１９】
0004106799.tif 000020
【図２０】
0004106799.tif 000021
【図２１】
0004106799.tif 000022
【図２２】
0004106799.tif 000023